(57)【要約】【課題】波長切り換え時にフレームロスが発生することのない親局装置を得ること。【解決手段】本発明は、受信する波長を切り換えることが可能な１台以上の子局装置とともに通信システムを構成し、波長が異なる複数の光信号を同時に送信することが可能な親局装置であって、子局装置が受信する下り波長を切り換える場合、子局装置での下り波長切り換えが開始となる前に、子局装置宛データの送信を停止するとともに子局装置宛データのバッファリングを開始し、子局装置における波長の切り換えが終了後、バッファリングしておいた子局装置宛データを切り換え後の新しい波長で送信する。【選択図】図４
2015154211.tif 000002
【特許請求の範囲】
【請求項１】
受信する波長を切り換えることが可能な１台以上の子局装置とともに通信システムを構成し、波長が異なる複数の光信号を同時に送信することが可能な親局装置であって、
子局装置が受信する下り波長を切り換える場合、子局装置での下り波長切り換えが開始となる前に、当該子局装置宛データの送信を停止するとともに当該子局装置宛データのバッファリングを開始し、当該子局装置における波長の切り換えが終了後、バッファリングしておいた当該子局装置宛データを切り換え後の新しい波長で送信する、
ことを特徴とする親局装置。
【請求項２】
それぞれ異なる波長の光信号を前記子局装置へ送信する複数の光送信器と、
通信相手のいずれか一つの子局装置と対応付けられ、対応付けられている子局装置宛のフレームを蓄積する複数のキューと、
前記複数のキューからフレームを読み出し、読み出したフレームの宛先に応じて前記複数の光送信器のいずれか一つに振り分けるフレーム読み出し部と、
前記子局装置が受信する下り波長の変更が必要か否かを判定し、変更が必要な場合には下り波長の切り換えを指示する下り波長割当部と、
を備え、
前記フレーム読み出し部は、受信する下り波長の切り換えを子局装置が実施している最中は当該子局装置宛のフレームが格納されているキューからの読み出しを停止する、
ことを特徴とする請求項１に記載の親局装置。
【請求項３】
前記下り波長割当部は、前記子局装置に下り波長の切り換えを指示する場合、子局装置側での下り波長切り換え処理に要する時間を考慮して子局装置に応答フレームを送信させる時刻を決定し、決定した時刻を子局装置へ通知する、
ことを特徴とする請求項２に記載の親局装置。
【請求項４】
波長が異なる複数の光信号を同時に送信することが可能な親局装置と、受信する波長を切り換えることが可能な１台以上の子局装置と、を備えた通信システムであって、
前記親局装置は、
子局装置が受信する下り波長を切り換える場合、子局装置での下り波長切り換えが開始となる前に、当該子局装置宛データの送信を停止するとともに当該子局装置宛データのバッファリングを開始し、当該子局装置における波長の切り換えが終了後、バッファリングしておいた当該子局装置宛データを切り換え後の新しい波長で送信する、
ことを特徴とする通信システム。
【請求項５】
受信する波長を切り換えることが可能な１台以上の子局装置とともに通信システムを構成し、波長が異なる複数の光信号を同時に送信することが可能な親局装置が実行する通信制御方法であって、
子局装置に受信させる下り波長の切り換えが必要と判断し、当該子局装置宛データの送信を停止するとともに当該子局装置宛データのバッファリングを開始する送信停止ステップと、
受信させる下り波長の切り換えが必要な子局装置に対して下り波長の切り換えを指示する波長切り換え指示ステップと、
前記子局装置における下り波長切り換えが終了したことを検出し、バッファリングしておいた前記子局装置宛データを切り換え後の新しい波長で送信するデータ送信ステップと、
を含むことを特徴とする通信制御方法。
【請求項６】
受信する波長を切り換えることが可能な１台以上の子局装置とともに通信システムを構成し、波長が異なる複数の光信号を同時に送信することが可能な親局装置における制御装置であって、
子局装置が受信する下り波長を切り換える場合、子局装置での下り波長切り換えが開始となる前に、当該子局装置宛データの送信を停止するとともに当該子局装置宛データのバッファリングを開始し、当該子局装置における波長の切り換えが終了後、バッファリングしておいた当該子局装置宛データを切り換え後の新しい波長で送信する、
ことを特徴とする制御装置。
【発明の詳細な説明】
【技術分野】
【０００１】
本発明は、光通信システムの親局装置、通信システム、通信制御方法および制御装置に関する。
【背景技術】
【０００２】
ＦＴＴＨ（Fiber  To  The  Home）の普及に伴い、Ｇ−ＥＰＯＮ（Gigabit  Ethernet  Passive  Optical  Network）等の光加入者終端装置が導入されている。ＰＯＮシステムは、親局装置としての局側装置（ＯＬＴ：Optical  Line  Terminal）に子局装置としての複数の加入者装置（ＯＮＵ：Optical  Network  Unit）がスターカプラを介して接続される光通信システムであり、現在導入されているＰＯＮシステムは、一芯の光ファイバとスターカプラで接続されたＯＬＴと複数のＯＮＵが、上りと下りで異なる波長を使用して通信する。すなわち、下りの通信はＯＬＴから各ＯＮＵへの同報通信で伝送され、上りの通信は、ＯＬＴからの指示により各ＯＮＵがＯＬＴに向け時分割多重でバースト的に通信を行う。上りの通信では伝送路上での各ＯＮＵからの信号が衝突しないように制御している。Ｇ−ＥＰＯＮの次世代機種である１０Ｇ−ＥＰＯＮでも、伝送速度が１Ｇｂｐｓから１０Ｇｂｐｓに高速化されているが、伝送制御はＧ−ＥＰＯＮと同様に下り同報、上り時分割多重による通信方式が踏襲されている。
【０００３】
また、次世代のＰＯＮシステムとして、ＴＤＭ（Time  Division  Multiplexing）／ＷＤＭ（Wavelength  Division  Multiplexing）併用のＰＯＮシステムが検討されている。ＴＤＭ／ＷＤＭ併用のＰＯＮシステムのＯＬＴは、複数のＯＳＵ（Optical  Subscriber  Unit）を備え、各ＯＳＵは、それぞれ異なる波長の光信号を送受信する。各ＯＳＵが送受信する波長は固定されている。一方、ＯＮＵはカラーレスであり、各ＯＮＵが送受信する波長はＯＬＴからの指示に従って動的に変更される。
【０００４】
従来のＴＤＭ／ＷＤＭ併用のＰＯＮシステムでは下り信号を一旦ＯＮＵ毎の信号に分離して動的にクロスコネクトし、複数の波長可変レーザに振り分ける方法が提案されている（特許文献１参照）。このシステムの特徴である下りの動的な波長割り当ては、各ＯＮＵへの下り信号におけるトラヒック量を監視し、各下り信号のトラヒック量に応じて動的に下りの波長割り当てを行うことによって、異なる波長にまたがって最適な帯域割り当てを行う。
【先行技術文献】
【特許文献】
【０００５】
【特許文献１】特開２０１１−８２９０８号公報
【発明の概要】
【発明が解決しようとする課題】
【０００６】
上述した従来のシステムでは、ＯＮＵが波長切り換え中もＯＬＴから下り信号が送信されることとなり、ＯＮＵが波長を切り換えている最中にＯＮＵに到着した下り信号（波長切り換え開始前に使用していた波長にて到着した下り信号）はＯＮＵで受信できない、という問題点があった。
【０００７】
本発明は、上記に鑑みてなされたものであって、波長切り換え時にフレームロスが発生することのない親局装置、通信システム、通信制御方法および制御装置を得ることを目的とする。
【課題を解決するための手段】
【０００８】
上述した課題を解決し、目的を達成するために、本発明は、受信する波長を切り換えることが可能な１台以上の子局装置とともに通信システムを構成し、波長が異なる複数の光信号を同時に送信することが可能な親局装置であって、子局装置が受信する下り波長を切り換える場合、子局装置での下り波長切り換えが開始となる前に、当該子局装置宛データの送信を停止するとともに当該子局装置宛データのバッファリングを開始し、当該子局装置における波長の切り換えが終了後、バッファリングしておいた当該子局装置宛データを切り換え後の新しい波長で送信する、ことを特徴とする。
【発明の効果】
【０００９】
本発明によれば、波長切り換え中にフレームロスが発生するのを防止できる、という効果を奏する。
【図面の簡単な説明】
【００１０】
【図１】図１は、本発明にかかる親局装置を備えた通信システムの構成例を示す図である。
【図２】図２は、従来のＴＤＭ／ＷＤＭ併用のＰＯＮシステムを示す図である。
【図３】図３は、ＯＬＴの機能構成ブロックの一例を示す図である。
【図４】図４は、下り波長切り換え動作の一例を示すシーケンス図である。
【発明を実施するための形態】
【００１１】
以下に、本発明にかかる親局装置、通信システム、通信制御方法および制御装置の実施の形態を図面に基づいて詳細に説明する。なお、この実施の形態によりこの発明が限定されるものではない。
【００１２】
実施の形態．
図１は、本発明にかかる親局装置を備えた通信システムの構成例を示す図である。図１では、通信システムの一例としてＰＯＮ（Passive  Optical  Network）システムを示している。図１に示すように、この通信システムは、親局装置として動作する局側装置（"Optical  Line  Terminal"とも言い、以降「ＯＬＴ」と称す）１と、光ファイバおよびスプリッタを介してＯＬＴ１に接続され、子局装置として動作する利用者側装置（"Optical  Network  Unit"とも言い、以降「ＯＮＵ」と称す）２と、を含んで構成されている。なお、図示を省略しているが、各ＯＮＵ２には、１台または複数台の端末装置（以降「端末」と称す）が接続されており、各端末は、ＯＮＵ２、ＯＬＴ１および上位ネットワークを介して通信相手の端末とデータの送受信等を行う。
【００１３】
また、図１ではＯＬＴ１のハードウェア構成も併せて示している。ＯＬＴ１は、ＰＯＮプロトコルに基づいてＯＬＴ側の処理を実施するＰＯＮ制御部（制御装置）１０１と、ＯＮＵ２から受信した上りデータを格納するための受信バッファ１０２と、ＯＮＵ２へ送信する下りデータを格納するための送信バッファ１０３と、光信号の送受信処理を行う光送受信器１０４と、波長が異なる複数の光信号を波長多重するＷＤＭカプラ（ＷＤＭ）１０５と、上位ネットワークとの間でＮＮＩ（Network  Node  Interface）の物理インタフェース機能を実現する物理層処理部（ＰＨＹ）１０６と、を備える。光送受信器１０４は、波長が異なる複数の光信号の送受信が可能となっている。なお、ＰＯＮ制御部１０１は、使用する波長が同じＯＮＵ２のグループごとに、従来のＰＯＮシステムと同様に、各ＯＮＵ２に対して送信時間帯が重ならないように送信許可を与える帯域割り当てを行い、各ＯＮＵ２からの送信データが衝突するのを防いでいる。
【００１４】
また、図１に示した通信システムは、ＴＤＭ（Time  Division  Multiplexing）／ＷＤＭ（Wavelength  Division  Multiplexing）併用のＰＯＮシステムとする。
【００１５】
ここで、従来の一般的なＴＤＭ／ＷＤＭ併用のＰＯＮシステムについて、図２を参照しながら説明する。
【００１６】
図２に示したように、ＴＤＭ／ＷＤＭ併用のＰＯＮシステムにおいて、ＯＬＴは光送受信器としてのＯＳＵ（Optical  Subscriber  Unit）を複数備え、各ＯＳＵは、それぞれ異なる波長の光信号を送受信する。各ＯＳＵが送受信する波長は固定されている。図２に示したＰＯＮシステムにおいて、ＯＳＵ＃ｎ（n=1,2,3）は、下り波長λdnを送信するとともに上り波長λunを受信する。各ＯＮＵは、スターカプラを介してＯＬＴに接続されている。図２の例では、ＯＮＵ＃１、＃４および＃７が上り波長λu1および下り波長λd1を使用し、ＯＮＵ＃２、＃５および＃８が上り波長λu2および下り波長λd2を使用し、ＯＮＵ＃３、＃６および＃９が上り波長λu3および下り波長λd3を使用している。各ＯＮＵはカラーレスＯＮＵであり、各ＯＮＵが送受信する波長は例えばＯＬＴからの指示によって動的に変更することが可能である。Ｉ／Ｆ部は、各ＯＮＵ宛の下りフレームを受信すると、いずれか一つのＯＳＵ（宛先のＯＮＵが使用している波長に対応するＯＳＵ）へ振り分ける。下りフレームの振り分け先の設定は、ＯＮＵ側で受信波長の変更が発生すると、それに合わせて変更される。既に説明したように、従来のＴＤＭ／ＷＤＭ併用のＰＯＮシステムにおいては、ＯＮＵが受信する波長を切り換えている最中に下りフレームが到着した場合、フレームロスが発生する。なお、図２において、ＯＬＴとＯＮＵの間に記載している波長（λd1からλd3、λu1からλu3）は、各ＯＮＵが送受信する波長を示している。下り波長については、実際には、全ての波長（λd1からλd3）がＯＬＴから各ＯＮＵに向けて送信され、各ＯＮＵは、ＯＬＴから送信された下り波長のうち、自身に割り当てられている１つの波長を受信する。
【００１７】
次に、図１に示した本実施の形態のＯＬＴ１、具体的には、ＯＮＵ側での受信波長切り換え時にフレームロスの発生を防止可能なＯＬＴ１について説明する。
【００１８】
図３は、ＯＬＴ１の機能構成ブロックの一例を示す図である。ＯＬＴ１は、波長多重分離部１０、複数のＯＳＵ２０（ＯＳＵ２０1，２０2，…，２０m）、下り振分部３０、宛先情報テーブル３１、下り波長割当部４０、統計情報管理部４１、読み出し制御部５０、複数のキュー５１（キュー５１1，５１2，…，５１n）、キュー振分部６０、ＭＡＣアドレス学習テーブル６１および多重化部７０を備える。各ＯＳＵ２０は、光送信器としてのＬＤ（Laser  Diode）２１（２１1，２１2，…，２１m）と、光受信器としてのＰＤ（Photodiode）２２（２２1，２２2，…，２２m）と、ＰＯＮ制御フレームとユーザフレーム（ユーザデータ等を送受信するためのフレーム）を多重分離するフレーム多重分離部２３（２３1，２３2，…，２３m）と、によって構成されている。各ＯＳＵ２０において、ＬＤ２１が送信する下り波長およびＰＤ２２が受信する上り波長は固定であり、装置起動時に設定されるものとする。図３に示した各構成要素は、図１に示したＰＯＮ制御部１０１や受信バッファ１０２、送信バッファ１０３、光送受信器１０４などによって実現される。なお、ＯＮＵ２は送受信する波長を切り換えることが可能であり、ＯＬＴ１から波長の変更指示を受けた場合には、指示された波長を送受信するように切り換える。
【００１９】
波長多重分離部１０は、各ＯＳＵ２０のＬＤ２１から出力される波長（光信号）を多重化して各ＯＮＵ２に向けて出力するとともに、各ＯＮＵ２から送信され、複数の波長が多重化された状態で到着した光信号から各波長を分離してＯＳＵ２０のＰＤ２２へ出力する。ＯＳＵ２０は、自身に割り当てられている波長の送信動作として、下り振分部３０から入力されるユーザフレームと下り波長割当部４０から入力される制御フレームを多重化し、ＯＮＵ２へ送信する。また、自身に割り当てられている波長の受信動作として、各ＯＮＵ２から受信したフレームを確認し、制御フレームであれば下り波長割当部４０へ出力し、ユーザフレームであれば多重化部７０へ出力する。
【００２０】
下り振分部３０は、読み出し制御部５０から下りフレーム（下りユーザフレーム）が入力されると、入力されたフレームの宛先（ＯＮＵ  ＩＤ）と対応付けられているＯＳＵ２０へ出力する。宛先情報テーブル３１は、下りフレームの宛先と出力先のＯＳＵ（ＯＳＵ  ＩＤ）の対応関係を管理する。なお、宛先情報テーブル３１はＯＮＵ２において波長切り換えが発生した場合に更新される。下り波長割当部４０は、各ＯＮＵ２への下りフレームの統計情報から任意のアルゴリズムによって各ＯＮＵ２が受信すべき波長を決定する。統計情報管理部４１は、複数のキュー５１各々に投入されたフレームに関する統計情報を収集し、管理する。統計情報は、例えば、各キュー５１が保持しているデータ（下りフレーム）のデータ量（キュー５１へのデータ蓄積量）とする。読み出し制御部５０は、下り波長割当部４０からの指示に従い、各キュー５１からのフレーム出力をキュー毎に停止・再開させる。複数のキュー５１は、それぞれ、ＯＮＵ２のいずれか一つと対応付けられており、対応付けられているＯＮＵ２宛の下りフレームを受け取り保持する。キュー振分部６０は、下りフレームを上位ネットワークから受け取り、その宛先ＭＡＣアドレスとＭＡＣアドレス学習テーブル６１に基づいて、下りフレームの宛先のＯＮＵ２（ＯＮＵ  ＩＤ）を特定し、特定したＯＮＵ２と対応付けられているキュー５１へ出力する。ＭＡＣアドレス学習テーブル６１は、キュー振分部６０が下りフレームの出力先を決定する際に参照されるテーブルであり、下りフレームの宛先ＭＡＣアドレスとＯＮＵ  ＩＤの対応関係を管理している。このＭＡＣアドレス学習テーブル６１は、例えば、上りフレーム（上りユーザフレーム）の転送が行われる際に更新される。すなわち、上りフレームを受信すると、受信したフレームに格納されている送信元ＭＡＣアドレスとＯＮＵ  ＩＤが対応付けられた状態でＭＡＣアドレス学習テーブル６１に登録される。多重化部７０は、各ＯＳＵ２０が受信した上りフレームを受け取り、多重化して出力する。
【００２１】
次に、ＯＬＴ１の全体動作について説明する。まず、下りフレームの転送動作を説明する。図示を省略した上位ネットワークからＯＬＴ１へ下りフレームが到着すると、下りフレームはキュー振分部６０に入力される。キュー振分部６０は、下りフレームが入力されると、ＭＡＣアドレス学習テーブル６１を参照し、入力された下りフレームの宛先ＭＡＣアドレスに対応しているＯＮＵ  ＩＤを検索する。ＯＮＵ  ＩＤの検索が完了すると、検索したＯＮＵ  ＩＤを入力された下りフレームに付与し、付与したＯＮＵ  ＩＤに対応するキュー５１へ投入する。
【００２２】
キュー５１に格納された下りフレームは、所定のタイミングで読み出し制御部５０によって読み出され、下り振分部３０へ出力される。読み出し制御部５０は、通常時（すなわち、あるＯＮＵ２に割り当てた下り波長を切り換え中でない場合）は、各キュー５１に格納されたフレーム読み出しを停止せず、格納されている下りフレームを順次読み出して下り振分部３０へ出力する。一方、あるＯＮＵ２に割り当てた下り波長を切り換え中の場合、読み出し制御部５０は、下り波長を切り換え中のＯＮＵ２を宛先とする下りフレームが格納されているキュー５１からの読み出しを停止する。読み出しの停止および再開は下り波長割当部４０からの指示に従って行う。
【００２３】
下り振分部３０は、読み出し制御部５０から下りフレームを受け取った場合、宛先情報テーブル３１を参照し、キュー振分部６０で下りフレームに付与されたＯＮＵ  ＩＤをキーにしてＯＳＵ  ＩＤを検索する。検索が終了すると、下り振分部３０は、検索したＯＳＵ  ＩＤによって示されたＯＳＵ２０へ下りフレームを転送する。下りフレームを受け取ったＯＳＵ２０においては、フレーム多重分離部２３が、受け取った下りフレームと下り波長割当部４０から入力されたＰＯＮの制御フレームとを多重化し、ＬＤ２１が、多重化されたフレームを光信号に変換し、波長多重分離部１０へ出力する。波長多重分離部１０は、各ＯＳＵ２０から送信された光信号を各ＯＮＵ２に向けて出力する。
【００２４】
次に、下り波長切り換えの動作について、図４を用いて説明する。図４は、下り波長切り換え動作の一例を示すシーケンス図である。図４では、ＯＬＴ１の構成要素のうち、下りの波長切り換えに関連する下り波長割当部４０、宛先情報テーブル３１および読み出し制御部５０と、下り波長切り換え対象のＯＮＵ２（ＯＮＵ＃ｎとする）と、ＯＮＵ＃ｎが下り波長を切り換える前の通信相手のＯＳＵ（ＯＳＵ＃ｍとする）と、ＯＮＵ＃ｎが下り波長を切り換えた後の通信相手のＯＳＵ（ＯＳＵ＃ｋとする）と、の間の下り通信状態と設定シーケンスを示している。
【００２５】
図４では、（１）下り波長切り換え前のフェーズ、（２）下り波長切り換え中のフェーズ、（３）下り波長切り換え後のフェーズ、を示している。これらの各フェーズについて説明する。
【００２６】
（１）下り波長切り換え前のフェーズ
このフェーズにおいて、ＯＬＴ１に入力されたＯＮＵ＃ｎに接続された端末宛の下りフレームは、前述のように図３のキュー振分部６０でＭＡＣアドレスからＯＮＵ  ＩＤを検索し、ＯＮＵ＃ｎ用のキュー（キュー５１1から５１nのいずれか）に投入される。ここでは、キュー５１nがＯＮＵ＃ｎ用のキュー（ＯＮＵ＃ｎ宛フレームの格納先のキュー）であるものとして説明を続ける。下り振分部３０は、読み出し制御部５０を介してキュー５１nから下りフレームを読み出し、読み出した下りフレームに付与されているＯＮＵ  ＩＤからＯＳＵ  ＩＤを検索し、検索したＯＳＵ  ＩＤのＯＳＵ（図４に示した例ではＯＳＵ＃ｍとなる）にフレームを転送する。ＯＳＵ＃ｍは、下り振分部３０から受け取ったフレームをＯＮＵ＃ｎへ転送する。
【００２７】
（２）下り波長切り換え中のフェーズ
このフェーズでは、まず、下り波長割当部４０（図３参照）が、任意のアルゴリズムによって、ＯＮＵ＃ｎの波長切り換えを決定し（ステップＳ１）、読み出し制御部５０に対して、ＯＮＵ＃ｎのキューであるキュー５１nを出力ゲートするように指示する（ステップＳ２）。この指示を受けた読み出し制御部５０は、キュー５１nからの読み出し動作を行わないようにして、ＯＮＵ＃ｎ宛フレームの下り振分部３０への出力を停止する。下り波長割当部４０は、さらに、下り波長設定の変更を指示するためのＧａｔｅフレームをＯＮＵ＃ｎへ送信するよう、ＯＳＵ＃ｍ（ＯＮＵ＃ｎが使用中の波長を送受信するＯＳＵ）に対して指示（下り波長設定の通知）を出す（ステップＳ３）。なお、下り波長割当部４０は、例えば、キュー５１nへのデータ蓄積量が予め設定されているしきい値を超えた場合、ＯＮＵ＃ｎに割り当てる下り波長を切り換えることに決定する。新たに割り当てる波長（切り換え後の波長）の決定方法については特に規定しないが、例えば、下りデータの受信量が少ないＯＮＵに割り当てられている波長を切り換え後の波長に決定する。各ＯＮＵの下りデータの受信量は、例えば、統計情報管理部４１で管理されている統計情報から知ることができる。
【００２８】
上記のステップＳ３で指示を受けたＯＳＵ＃ｍは、下り波長の切り換えを指示するＧａｔｅフレーム（下り波長変更Ｇａｔｅフレーム）をＯＮＵ＃ｎへ送信する。このとき、ＯＳＵ＃ｍは、Ｇａｔｅフレームを発行した時のタイムスタンプに加えて、ＯＮＵ＃ｎが応答（変更応答Ｒｅｐｏｒｔフレーム）を返すまでの所要時間（ＯＮＵ＃ｎがＧａｔｅフレームを受信してから新しい波長を受信できるように受信器を調整して応答を返すまでの所要時間）をタイムスタンプに足し込んだ値、を変更応答Ｒｅｐｏｒｔフレーム送信開始時刻として、Ｇａｔｅフレームに格納する。タイムスタンプに足しこむ値（ＯＮＵ＃ｎが応答を返すまでの所要時間）は、具体的には、ＯＮＵ＃ｎからあらかじめ取得したＯＮＵ＃ｎの下り波長変更Ｇａｔｅフレームの受信処理時間と、波長切り換えによるＯＮＵ＃ｎの下り抽出クロック再生時間と、符号同期時間と、変更応答Ｒｅｐｏｒｔフレームの生成処理時間と、を足した値である。
【００２９】
ＯＮＵ＃ｎは、下り波長の変更を指示する下り波長変更ＧａｔｅフレームをＯＳＵ＃ｍから受信すると、指示された下り波長を受信するように受信器の設定を変更し、変更が終了すると変更応答Ｒｅｐｏｒｔフレームを返送する。変更応答Ｒｅｐｏｒｔフレームの送信は、下り波長変更Ｇａｔｅフレームで指定された時刻、すなわち、変更応答Ｒｅｐｏｒｔフレーム送信開始時刻に行う。
【００３０】
ＯＳＵ＃ｍは、ＯＮＵ＃ｎから変更応答Ｒｅｐｏｒｔフレームを受信すると、その旨を示す設定応答を下り波長割当部４０に対して通知する（ステップＳ４）。下り波長割当部４０は、設定応答の通知を受けると、宛先情報テーブル３１（図３参照）に設定されているＯＮＵ＃ｎの宛先をＯＳＵ＃ｍからＯＳＵ＃ｋに書き換える（ステップＳ５）。なお、ステップＳ２の処理を行ってからステップＳ５の処理が終了するまでの間は、ＯＮＵ＃ｎ宛のフレームがＯＮＵ＃ｎ用のものに設定されているキュー（キュー５１n）に蓄積される（キュー５１nから読み出されない）。
【００３１】
（３）下り波長切り換え後のフェーズ
下り波長割当部４０は、ステップＳ５を実行して宛先情報テーブル３１の更新が終了すると、読み出し制御部５０に対し、ＯＮＵ＃ｎ用のキュー５１nのゲート解除を指示する（ステップＳ６）。これにより、キュー５１nに格納されていたＯＮＵ＃ｎ宛のフレームは、下り振分部３０によって読み出され、新しく設定された宛先情報テーブル３１の情報に従ってＯＳＵへ振り分けられる。具体的には、ＯＮＵ＃ｎ宛のフレームは下り振分部３０から切り換え後の波長に対応するＯＳＵ＃ｋに振り分けられ、ＯＳＵ＃ｋからＯＮＵ＃ｎへ転送される。
【００３２】
このように、本実施の形態の通信システムにおいて、ＯＬＴ１は、ＯＮＵ２に割り当てる下り波長を変更する場合、当該ＯＮＵ２を宛先とするフレームの送信を停止してから下り波長の切り換えを指示し、切り換えが完了した旨の通知をＯＮＵ２から受けると、切り換え後の新しい下り波長を使用したフレームの送信を再開する。
【００３３】
すなわち、ＯＬＴ１の下り波長割当部４０は、各ＯＳＵ２０、読み出し制御部５０および宛先情報テーブル３１と連携し、あるＯＮＵ２に割り当てる下り波長を切り換えている間は、このＯＮＵ２宛の下りフレームが格納されているキュー５１（キュー５１1から５１nのいずれか）から下りフレームを読み出す動作を停止し、ＯＮＵ２の受信波長切り換えが完了したことを確認してから、ＯＮＵ２宛のフレームが格納されているキュー５１の読み出しを開始するので、波長切り換え中にＯＬＴ側からＯＮＵ側にフレームが送信されてしまうことによってフレームロスが発生するのを防止できる。
【００３４】
また、ＯＬＴ１が送信する下り波長変更Ｇａｔｅフレームには、ＧａｔｅフレームをＯＬＴが発行した時のタイムスタンプおよび変更応答Ｒｅｐｏｒｔフレーム送信開始時刻（タイムスタンプに対してＯＮＵ２における下り波長変更Ｇａｔｅ処理時間、波長切り換えにおける下り抽出クロック再生時間、符号同期時間および変更応答Ｒｅｐｏｒｔフレーム生成時間の合計値を足し込んだ値）を格納し、ＯＮＵ２は、変更応答Ｒｅｐｏｒｔフレーム送信開始時刻に従って変更応答Ｒｅｐｏｒｔフレームを送信するので、局側と加入者側の下り通信断時間を短くすることができる。すなわち、ＯＬＴ１は、ＯＮＵ２が行う波長切り換え処理の所要時間を考慮して変更応答Ｒｅｐｏｒｔフレーム送信開始時刻を決定する（帯域割当を行う）ので、ＯＮＵ２が変更応答Ｒｅｐｏｒｔフレームを確実に送信することができるように帯域を割り当てることができる。その結果、変更応答Ｒｅｐｏｒｔフレームの送信に失敗してこのフレームを送信するための帯域を改めて要求することがなくなり、下り通信断時間が必要以上に長くなるのを回避できる。
【産業上の利用可能性】
【００３５】
以上のように、本発明にかかる親局装置、通信システム、通信制御方法および制御装置は、子局装置と親局装置が複数の波長の中から選択した波長チャネルを使用して通信を行う通信システムに有用である。
【符号の説明】
【００３６】
１  局側装置（ＯＬＴ）、２  利用者側装置（ＯＮＵ）、１０  波長多重分離部、２０1，２０2，２０m  ＯＳＵ、２１1，２１2，２１m  ＬＤ、２２1，２２2，２２m  ＰＤ、２３1，２３2，２３m  フレーム多重分離部、３０  下り振分部、３１  宛先情報テーブル、４０  下り波長割当部、４１  統計情報管理部、５０  読み出し制御部、５１1，５１2，５１n  キュー、６０  キュー振分部、６１  ＭＡＣアドレス学習テーブル、７０  多重化部、１０１  ＰＯＮ制御部、１０２  受信バッファ、１０３  送信バッファ、１０４  光送受信器、１０５  ＷＤＭ、１０６  ＰＨＹ。
【図１】
2015154211.tif 000003
【図２】
2015154211.tif 000004
【図３】
2015154211.tif 000005
【図４】
2015154211.tif 000006